(57)【特許請求の範囲】
【請求項１】
撮影により得られた映像信号を出力するカメラ部と、前記カメラ部から出力された映像信号を表示する電子ファインダーと、音声情報を表示する表示パネルと、を備えるカメラ一体型レコーダであって、
一定レベルの音声を発生する発生手段と、
前記一定レベルの音声を含む前記撮影時の音声を入力して音声信号として出力するマイクと、
ユーザのゲイン調整操作に基づき前記マイクからの音声信号を増幅するアンプと、
前記アンプから出力された音声信号のレベルメータを前記表示パネルに表示させる第１表示制御手段と、
前記音声信号のレベルが前記レベルメータの最小レベルを基準に所定レベル以下である期間を計測する計測手段と、
前記計測した期間が所定期間を超えている場合に、前記音声信号が小さすぎる旨の情報を前記映像信号に合成し、前記合成した映像信号を前記電子ファインダーに表示させる第２表示制御手段と、
を備えることを特徴とするカメラ一体型レコーダ。
【請求項２】
撮影により得られた映像信号を出力するカメラ部と、前記カメラ部から出力された映像信号を表示する電子ファインダーと、音声情報を表示する表示パネルと、を備えるカメラ一体型レコーダの音声情報表示方法であって、
一定レベルの音声を発生する発生工程と、
前記一定レベルの音声を含む前記撮影時の音声をマイクに入力して音声信号として出力する音声信号出力工程と、
ユーザのゲイン調整操作に基づき前記マイクからの音声信号を増幅する増幅工程と、
前記増幅された音声信号のレベルメータを前記表示パネルに表示させる第１表示制御工程と、
前記音声信号のレベルが前記レベルメータの最小レベルを基準に所定レベル以下である期間を計測する計測工程と、
前記計測した期間が所定期間を超えている場合に、前記音声信号が小さすぎる旨の情報を前記映像信号に合成し、前記合成した映像信号を前記電子ファインダーに表示させる第２表示制御工程と、
を備えることを特徴とするカメラ一体型レコーダの音声情報表示方法。
【発明の詳細な説明】
【０００１】
【発明の属する技術分野】
本発明は、入力音声信号レベルを調整することができるカメラ一体型レコーダ及びその音声情報表示方法に関する。
【０００２】
【従来の技術】
従来、この種の信号記録装置として一般に知られているカメラ一体型ビデオテープレコーダ（ＶＴＲ）の中には、入力音声信号のレベルをユーザが好みのレベルに調整することができるマニュアル調整機能を搭載したものがある。
【０００３】
このようなカメラ一体型ＶＴＲでは、ユーザは入力音声信号のレベルメータ表示を見ながら好みのレベルに調整することが可能である。入力音声信号のレベルメータは、入力映像が表示されるビューファィンダ（ＥＶＦ）とは別のＬＣＤなどの表示部に表示される。
【０００４】
図５は従来のカメラ一体型ＶＴＲの構成を示すブロック図である。カメラ一体型ＶＴＲにおいて音声レベルをどのように表示するかについて説明する。図において、１ａは映像信号を出力するカメラ部である。３ａは映像信号と音声信号を合成する加算器、４ａは映像信号を表示するＥＶＦ、５ａは映像信号および音声信号からなる合成信号を記録するＶＴＲ部、６ａは音声信号を出力するマイク部である。
【０００５】
７ａは音声信号を増幅するアンプ、８ａは音声信号をアナログ信号からディジタル信号に変換するＡ／Ｄ変換部、９ａはディジタル音声データのレベルを判定するレベル判定回路、１０ａはカメラ部１ａおよびＶＴＲ部５ａを制御するマイクロコンピュータ（マイコン）、１４ａはＬＣＤを駆動するドライバ、１５ａは音声のレベルメータを表示するＬＣＤである。
【０００６】
このような構成を有する従来のカメラ一体型ＶＴＲでは、マイク部６ａから出力された音声信号をアンプ７ａで増幅し、増幅された音声信号をＡ／Ｄ変換器８ａでアナログ信号からディジタル信号に変換し、レベル判定回路９ａでディジタル音声データのレベルを判定し、判定されたレベルをドライバ１４ａに出力すると、レベルに応じた個数分のバーがレベルメータとして表示される。図６はＬＣＤに表示されたレベルメータを示す図である。
【０００７】
【発明が解決しようとする課題】
しかしながら、上記従来のカメラ一体型ＶＴＲでは、撮影開始直前あるいは撮影中、ユーザは入力映像が表示されるＥＶＦに意識を集中させるので、これとは別のＬＣＤなどの表示部に表示されるレベルメータを確認することが困難あった。
【０００８】
したがって、撮影開始直前あるいは撮影中、入力音声信号のレベルが高すぎたり低すぎたりしても、ユーザはそのことに気づかず、後に撮影した映像を再生してみて初めてレベル不良であったことに気づくことが多々あった。
【０００９】
そこで、本発明は入力音声信号のレベル不良を、撮影開始直前あるいは撮影中でもユーザに確実に知らせることができるカメラ一体型レコーダ及びその音声情報表示方法を提供することを目的とする。
【００１０】
【課題を解決するための手段】
上記目的を達成するために、本発明の請求項１に記載のカメラ一体型レコーダは、撮影により得られた映像信号を出力するカメラ部と、前記カメラ部から出力された映像信号を表示する電子ファインダーと、音声情報を表示する表示パネルと、を備えるカメラ一体型レコーダであって、一定レベルの音声を発生する発生手段と、前記一定レベルの音声を含む前記撮影時の音声を入力して音声信号として出力するマイクと、ユーザのゲイン調整操作に基づき前記マイクからの音声信号を増幅するアンプと、前記アンプから出力された音声信号のレベルメータを前記表示パネルに表示させる第１表示制御手段と、前記音声信号のレベルが前記レベルメータの最小レベルを基準に所定レベル以下である期間を計測する計測手段と、前記計測した期間が所定期間を超えている場合に、前記音声信号が小さすぎる旨の情報を前記映像信号に合成し、前記合成した映像信号を前記電子ファインダーに表示させる第２表示制御手段と、を備えることを特徴とする。
本発明の請求項２に係るカメラ一体型レコーダの音声情報表示方法は、撮影により得られた映像信号を出力するカメラ部と、前記カメラ部から出力された映像信号を表示する電子ファインダーと、音声情報を表示する表示パネルと、を備えるカメラ一体型レコーダの音声情報表示方法であって、一定レベルの音声を発生する発生工程と、前記一定レベルの音声を含む前記撮影時の音声をマイクに入力して音声信号として出力する音声信号出力工程と、ユーザのゲイン調整操作に基づき前記マイクからの音声信号を増幅する増幅工程と、前記増幅された音声信号のレベルメータを前記表示パネルに表示させる第１表示制御工程と、前記音声信号のレベルが前記レベルメータの最小レベルを基準に所定レベル以下である期間を計測する計測工程と、前記計測した期間が所定期間を超えている場合に、前記音声信号が小さすぎる旨の情報を前記映像信号に合成し、前記合成した映像信号を前記電子ファインダーに表示させる第２表示制御工程と、を備えることを特徴とする。
【００１８】
【発明の実施の形態】
本発明のカメラ一体型レコーダ及びその音声情報表示方法の実施の形態について説明する。本実施形態のカメラ一体型レコーダはカメラ一体型ＶＴＲに適用される。
【００１９】
図１は実施の形態におけるカメラ一体型ＶＴＲの構成を示すブロック図である。図において、１は映像信号を出力するカメラ部である。
【００２０】
２は映像信号と文字信号を合成する加算器、３は映像信号と音声信号を合成する加算器、４は映像信号を表示するＥＶＦ、５は映像信号および音声信号からなる合成信号を記録するＶＴＲ部、６は音声信号を出力するマイク部である。
【００２１】
７は音声信号を増幅するアンプ、８は音声信号をアナログ信号からディジタル信号に変換するＡ／Ｄ変換部、９はディジタル音声データのレベルを判定するレベル判定回路、１０はカメラ部１およびＶＴＲ部５を制御するマイクロコンピュータ（マイコン）、１１、１２はマイコン１０に内蔵されているタイマＡおよびタイマＢ、１３は文字信号を出力する文字信号発生回路である。１４はＬＣＤを駆動するドライバ、１５は音声のレベルメータを表示するＬＣＤである。
【００２２】
このような構成を有するカメラ一体型ＶＴＲでは、マイク部６から出力された音声信号をアンプ７で増幅し、増幅された音声信号をＡ／Ｄ変換器８でアナログ信号からディジタル信号に変換し、レベル判定回路９でディジタル音声データのレベルを判定し、判定された音声データのレベルをドライバ１４に出力すると、レベルに応じた個数分のバーをレベルメータとしてＬＣＤ１５に表示する（図６参照）。
【００２３】
また、マイコン１０がレベル判定回路９から音声レベルを入力し、その音声レベルが所定期間（本実施形態では３秒間）、所定レベル（本実施形態ではＭａｘ−１）以上もしくは所定レベル（本実施形態ではＭｉｎ＋１）以下である場合、ＥＶＦ４に文字情報が表示されるように文字信号発生回路１３を制御する。
【００２４】
尚、音声信号を増幅するアンプ７のゲインは図示しない操作部によりユーザによって可変自在であり、入力音声信号のレベルを調整することができる。
【００２５】
図２および図３はマイコン１０にレベル判定回路９から音声データのレベルが入力されたときにマイコン１０によって実行される動作処理手順を示すフローチャートである。この処理プログラムはマイコン１０内のＲＯＭに格納されている。
【００２６】
マイコン１０にレベル判定回路９から音声データのレベルが入力されると、マイコン１０はまず入力されたレベルがレベル≧Ｍａｘ−１を満たすか否かを判別する（ステップＳ１）。レベル≧Ｍａｘ−１が成立する場合、タイマＢ１２が動作中であるか否かを判別し（ステップＳ２）、タイマＢ１２が動作中である場合、タイマＢ１２をストップおよびリセットし（ステップＳ３）、タイマＢ１２が動作中でない場合、何もしない。
【００２７】
そして、タイマＡ１１が動作中であるか否か判別し（ステップＳ４）、タイマＡ１１が動作中でない場合、タイマＡ１１をスタートし（ステップＳ７）、タイマＡ１１が動作中である場合、タイマＡ１１が３秒経過しているか否かを判別する（ステップＳ５）。タイマＡ１１が３秒経過している場合、文字表示Ａの制御信号を文字信号発生回路１３に出力して（ステップＳ６）処理を終了し、タイマＡ１１が３秒経過していない場合、何もせず終了する。
【００２８】
一方、ステップＳ１でレベル≧Ｍａｘ−１が成立しない場合、レベル≦Ｍｉｎ＋１が成立するか否かを判別する（ステップＳ８）。レベル≦Ｍｉｎ＋１が成立する場合、タイマＡ１１が動作中であるか否か判別し（ステップＳ９）、タイマＡ１１が動作中である場合、タイマＡ１１をストップおよびリセットし（ステップＳ１０）、タイマＡ１１が動作中でない場合、何もしない。
【００２９】
そして、タイマＢ１２が動作中であるか否か判別し（ステップＳ１１）、タイマＢ１２が動作中でない場合、タイマＢ１２をスタートし（ステップＳ１４）、タイマＢ１２が動作中である場合、タイマＢ１２が３秒経過しているか否かを判別する（ステップＳ１２）。タイマＢが３秒経過している場合、文字表示Ｂの制御信号を文字信号発生回路１３に出力して（ステップＳ１３）、処理を終了し、タイマＢ１２が３秒経過していない場合、何もせず終了する。
【００３０】
また一方、ステップＳ８でレベル≦Ｍｉｎ＋１が成立しない場合、タイマＡ１１が動作中であるか否か判別し（ステップＳ１５）、タイマＡ１１が動作中である場合、タイマＡ１１をストップおよびリセットし（ステップＳ１６）、タイマＡ１１が動作中でない場合、何もしない。
【００３１】
そして、タイマＢ１２が動作中であるか否かを判別し（ステップＳ１７）、タイマＢ１２が動作中である場合、タイマＢ１２をストップおよびリセットし（ステップＳ１８）、タイマＢ１２が動作中でない場合、何もしない。この後、文字表示なしの制御信号を文字信号発生回路１３に出力し（ステップＳ１９）、処理を終了する。
【００３２】
図４はＥＶＦ４における文字表示Ａおよび文字表示Ｂの画面出力を示す図である。本実施形態では、文字信号発生回路１３から出力された文字信号とカメラ部１から出力された映像信号とを加算器２で合成し、ＥＶＦ４に文字表示Ａあるいは文字表示Ｂを表示する際、同図（ａ）に示すように文字表示Ａとして「音声が大きすぎます」、また、同図（ｂ）に示すように文字表示Ｂとして「音声が小さすぎます」がＥＶＦ４の画面下側に表示される。
【００３３】
このように、本実施形態のカメラ一体型ＶＴＲでは、ユーザが入力映像信号が表示されるＥＶＦ４に意識を集中したままでも音声信号のレベルが適正であるか否かを知ることができる。したがって、ユーザはアンプ７のゲインを調整することにより、撮影開始前であれば撮影失敗を未然に防ぐことができる。また、撮影開始後であっても即座に撮り直しすることができる。
【００３４】
尚、上記実施形態では、ＥＶＦ４の画面下側に文字が表示されているが、文字表示の配置は特に限定されるものではなく、四隅に配置してもよい。
【００３５】
また、文字表示を点滅させたり、あるいはカラー表示可能である場合、黄色や赤色などにしてユーザに注意を喚起しやすくしてもよい。
【００３６】
さらに、カメラとＶＴＲが別体でケーブルなどを介して接続されたものにも同様に適用可能である。
【００３７】
また、上記実施形態では、映像信号に文字信号を加算してＥＶＦに表示していたが、文字信号を映像信号に加算することなく、映像信号から文字信号に所定時間切り換えることにより表示してもよい。
【００３８】
さらに、ある一定レベルの音声を発生する手段を設け、マイク部によって検出されるこの音声信号のレベルを判定するようにしてもよく、音声信号の基準を一定に保つことができる。
【００３９】
また、フィルタを設け、特定の周波数の音声信号に対してレベルを判定するようにしてもよい。
【００４０】
さらに、音声信号のレベルが適正である場合でも、ＥＶＦに音声が適正である旨を表示するようにしてもよい。
【００４１】
また、ＥＶＦに文字を表示する代わりに、絵文字やマークを表示するようにしてもよい。
【００４２】
さらに、本発明は装置にプログラムを供給することによって達成される場合にも適用できることはいうまでもない。この場合、本発明を達成するためのソフトウェアによって表されるプログラムを格納した記憶媒体を読み出すことによってその装置が本発明の効果を享受することが可能となる。上記実施形態では、記憶媒体としてマイクロコンピュータ１０内のＲＯＭが用いられているが、これに限らず、例えばフロッピーディスク、不揮発性のメモリカードなどを用いることが可能である。
【００４３】
【発明の効果】
本発明によれば、入力音声信号のレベル不良を、撮影開始直前あるいは撮影中でもユーザに確実に知らせることができる。したがって、撮影開始前であれば撮影失敗を未然に防ぐことができ、また、撮影開始後であっても即座に撮り直しを促すことができる。
【図面の簡単な説明】
【図１】実施の形態におけるカメラ一体型ＶＴＲの構成を示すブロック図である。
【図２】マイコン１０にレベル判定回路９から音声データのレベルが入力されたときにマイコン１０によって実行される動作処理手順を示すフローチャートである。
【図３】図２につづく動作処理手順を示すフローチャートである。
【図４】ＥＶＦ４における文字表示Ａおよび文字表示Ｂの画面出力を示す図である。
【図５】従来のカメラ一体型ＶＴＲの構成を示すブロック図である。
【図６】ＬＣＤに表示されたレベルメータを示す図である。
【符号の説明】
１  カメラ部
２、３  加算器
４  ＥＶＦ
５  ＶＴＲ部
６  マイク部
９  レベル判定回路
１０  マイクロコンピュータ（マイコン）
１１  タイマＡ
１２  タイマＢ
１３  文字信号発生回路
【図１】
0003994180.tif 000002
【図２】
0003994180.tif 000003
【図３】
0003994180.tif 000004
【図４】
0003994180.tif 000005
【図５】
0003994180.tif 000006
【図６】
0003994180.tif 000007